(57)【要約】【課題】高所に取り付けられたフレーム内部の狭い空間で、遠心送風羽根を容易に取り外して掃除ができる、掃除性の向上した天井埋込形換気扇を提供することを目的とする。【解決手段】フレーム４内に配設され、遠心送風羽根８を内包したケーシング７の下面に、遠心送風羽根８の外径より大きい径のケーシング開口５を備え、ケーシング開口５に吸込口１０を形成したオリフィス１１を、工具を使用せずに着脱自在に設けるとともに、下面のフレーム開口３を室内側から覆うルーバー１２を、内側に遠心送風羽根８が通過できる大きさのルーバー開口１３を有したルーバー枠１４と、ルーバー開口１３を開閉するグリル部１５とから構成することにより、オリフィス１１の着脱が容易に、かつ、ルーバー１２の取り外しをしなくても遠心送風羽根８を取り外しことができ、掃除性が向上する。【選択図】図２
2010196970.tif 000002
【特許請求の範囲】
【請求項１】
天井裏に挿入して取り付けられ、下面に室内側に臨むフレーム開口を有する箱状のフレームと、前記フレーム内に配設され、遠心送風羽根を内包し、下面に前記遠心送風羽根の外径より大きい径のケーシング開口を有し側部に吐出口を有したスクロール状のケーシングと、前記遠心送風羽根をその回転軸に着脱自在に固着した電動機と、前記フレーム開口を室内側から覆うルーバーとを備え、前記ケーシング開口には前記ケーシングの吸込口を形成するオリフィスを、前記フレーム開口から前記フレーム内の下部空間で工具を使用することなく着脱自在に設けるとともに、前記ルーバーは、内側に前記遠心送風羽根が通過できる大きさのルーバー開口を有したルーバー枠と、前記ルーバー開口を開閉するグリル部とからなることを特徴とする天井埋込形換気扇。
【請求項２】
グリル部は、一側端部を支軸にして上下方向に回動自在に設けられるとともに、前記一側端部に対向する一側部をルーバー枠に係脱自在に保持する構成とした請求項１に記載の天井埋込形換気扇。
【請求項３】
ルーバー枠のルーバー開口近傍に指の押圧力でグリル部との係合・脱却を繰り返す保持部を設けた請求項２に記載の換気装置。
【請求項４】
グリル部の回動支軸を、前記グリル部の一側端部に設けたフック形状の係止部と、ルーバー枠に設けた係合部とを回動自在かつ着脱自在に係合して構成した請求項２または３に記載の天井埋込形換気扇。
【請求項５】
係止部および係合部をそれぞれ複数個設け、前記複数個の係止部あるいは係合部は、グリル部の左右方向中心線から異なる距離の位置に設けられた請求項４に記載の天井埋込形換気扇。
【請求項６】
ルーバーを、樹脂製でその裏面に設けたルーバーばねによってフレームの内部に設けた取り付け部に着脱自在に取り付ける天井埋込形換気扇にあって、前記ルーバーばねは、ルーバー開口縁部に、平面視で前記ルーバー開口上に位置しないように前記ルーバー枠と一体に形成された保持部に保持され、前記保持部はルーバーばねの挿入開口を有しており、前記挿入開口を外方に開口するように形成した請求項１に記載の天井埋込形換気扇。
【請求項７】
ルーバーばね保持部の挿入開口は、ルーバーばねの線材径よりも狭くした請求項６に記載の天井埋込形換気扇。
【請求項８】
ルーバーをＰＰ樹脂製とした請求項６に記載の天井埋込形換気扇。
【請求項９】
グリル部の裏面側にフィルターを着脱自在に装着した請求項１に記載天井埋込形換気扇。
【請求項１０】
複数種のグリル部を備え、ルーバー枠に選択自在に取り付ける請求項１に記載の天井埋込形換気扇。
【発明の詳細な説明】
【技術分野】
【０００１】
本発明は、天井裏に配管され屋外と連通するダクトと接続し、天井に設けられた開口に埋め込まれて設置される天井埋込形換気扇に関する。
【背景技術】
【０００２】
従来、この種の天井埋込形換気扇の一例として図１２に示すものが知られている（例えば、特許文献１参照）。
【０００３】
以下、その構成について図１２を参照しながら説明する。
【０００４】
図に示すように、下面にルーバー１０１で覆われる吸込口１０２を有し、側面に吐出口１０３を設けた箱状のフレーム１０４と、屋外と連通するダクト１０５を接続するアダプター１０６と、フレーム１０４の内部には下面に吸込口であるオリフィス１０７を有したスクロール状のケーシング１０８と、ケーシング１０８内に配設され送風を行う遠心送風羽根１０９と、遠心送風羽根１０９を回転駆動する電動機１１０を備え構成していた。
【特許文献１】特開２００３−６５５８１号公報
【発明の開示】
【発明が解決しようとする課題】
【０００５】
このような従来の天井埋込形換気扇では、長時間の運転により室内の塵埃等が遠心送風羽根１０９に付着して所要の換気性能が発揮できなくなる場合に、遠心送風羽根１０９を室内側へ取り外して掃除をしようとしても、オリフィス１０７が邪魔になって取り外すことができず、したがって、ルーバー１０１を取り外してフレーム１０４内部で遠心送風羽根１０９を掃除することとなるが、ケーシング１０８に内包されているので十分に掃除ができず、しかも、ルーバー１０１は一般的にルーバーばねによってフレーム１０４内部に設けた取り付け部に取り付けられているため、天井という高所ではその着脱が容易なものではなかった。
【０００６】
本発明は、このような従来の課題を解決するものであり、天井裏という高い位置に埋め込んで取り付けられたフレームから遠心送風羽根を室内側に容易に取り外して掃除ができる、掃除性の向上した天井埋込形換気扇を提供することを目的とする。
【課題を解決するための手段】
【０００７】
本発明の天井埋込形換気扇は上記目的を達成するために、天井裏に挿入して取り付けられ、下面に室内側に臨むフレーム開口を有する箱状のフレームと、前記フレーム内に配設され、遠心送風羽根を内包し、下面に前記遠心送風羽根の外径より大きい径のケーシング開口を有し側部に吐出口を有したスクロール状のケーシングと、前記遠心送風羽根をその回転軸に着脱自在に固着した電動機と、前記フレーム開口を室内側から覆うルーバーとを備え、前記ケーシング開口には前記ケーシングの吸込口を形成するオリフィスを、前記フレーム開口から前記フレーム内の下部空間で工具を使用することなく着脱自在に設けるとともに、前記ルーバーは、内側に前記遠心送風羽根が通過できる大きさのルーバー開口を有したルーバー枠と、前記ルーバー開口を開閉するグリル部とからなるものである。
【０００８】
また、他の手段は、グリル部が一側端部を支軸にして上下方向に回動自在に設けられるとともに、前記一側端部に対向する一側部をルーバー枠に係脱自在に保持する構成としたものである。
【０００９】
また、他の手段は、ルーバー枠のルーバー開口近傍に指の押圧力でグリル部との係合・脱却を繰り返す保持部を設けたものである。
【００１０】
また、他の手段は、グリル部の回動支軸を、前記グリル部の一側端部に設けたフック形状の係止部と、ルーバー枠に設けた係合部とを回動自在かつ着脱自在に係合して構成したものである。
【００１１】
また、他の手段は、係止部および係合部をそれぞれ複数個設け、前記複数個の係止部あるいは係合部は、グリル部の左右方向中心線から異なる距離の位置に設けたものである。
【００１２】
また、他の手段は、ルーバーを、樹脂製でその裏面に設けたルーバーばねによってフレームの内部に設けた取り付け部に着脱自在に取り付ける天井埋込形換気扇にあって、前記ルーバーばねは、ルーバー開口縁部に、平面視で前記ルーバー開口上に位置しないように前記ルーバー枠と一体に形成された保持部に保持され、前記保持部はルーバーばねの挿入開口を有しており、前記挿入開口を外方に開口するように形成したものである。
【００１３】
また、他の手段は、ルーバーばね保持部の挿入開口は、ルーバーばねの線材径よりも狭くしたものである。
【００１４】
また、他の手段は、ルーバーをＰＰ樹脂製としたものである。
【００１５】
また、他の手段は、グリル部の裏面側にフィルターを着脱自在に装着したものである。
【００１６】
また、他の手段は、複数種のグリル部を備え、ルーバー枠に選択自在に取り付ける構成としたものである。
【発明の効果】
【００１７】
本発明によれば、ケーシング下面のケーシング開口にオリフィスを、フレーム開口からフレーム内の下部空間で工具を使用することなく着脱自在に設けるとともに、ルーバーは、内側に遠心送風羽根が通過できる大きさのルーバー開口を有したルーバー枠と、ルーバー開口を開閉するグリル部とからなることにより、天井裏という高い位置に取り付けられたフレーム内部の狭い空間で、オリフィスの着脱に工具が必要なく、またルーバーの取り外しをしなくても羽根の着脱とお手入れが可能となり、掃除性が向上する。
【００１８】
また、グリル部は、一側端部を支軸にして上下方向に回動自在に設けられるとともに、一側端部に対向する一側部をルーバー枠に係脱自在に保持する構成としたことにより、グリル部がその一側端部を支軸として回動して開くため、グリル部の開閉を片手作業で行うことができ、作業が容易になるとともに、もう一方の手で身体を支えることができて作業中の安全性が向上する。
【００１９】
また、ルーバー枠のルーバー開口近傍に指の押圧力でグリル部との係合・脱却を繰り返す保持部を設けたことにより、指で押すだけの小さい力でグリル部を開閉することができ、グリル部の開閉がより容易になる。
【００２０】
また、グリル部の回動支軸を、グリル部の一側端部に設けたフック形状の係止部と、ルーバー枠に設けた係合部とを回動自在かつ着脱自在に係合して構成したことにより、グリル部開閉の際に、フック状の係止部によってグリル部が落下することを防ぎ、それによるけがおよび部品の破損を防ぐことができる。また、係止部の係止を外して、グリル部を取り外しての洗浄ができることとなる。
【００２１】
また、係止部および係合部をそれぞれ複数個設け、複数個の係止部あるいは係合部は、グリル部の左右方向中心線から異なる距離の位置に設けられたことにより、外したグリル部を取り付ける際に、グリル部を誤って裏表逆に取り付けようとしても、複数個の係止部とそれに対応する係合部の位置が合わずに取り付けることができず、グリル部の裏表逆取り付けを防ぐことができる。
【００２２】
また、ルーバーばねが、ルーバー開口縁部に、平面視でルーバー開口上に位置しないようにルーバー枠と一体に形成された保持部に保持され、保持部はルーバーばねの挿入開口を有しており、挿入開口を外方に開口するように形成したことにより、ルーバーばね保持部による風量低下や騒音増加を防ぎ、かつ、内部のオリフィスや遠心送風羽根を取り外す際に作業の邪魔にもならない。
【００２３】
また、ルーバーばね保持部の挿入開口は、ルーバーばねの線材径よりも狭くしたことにより、一旦ルーバーばねを装着すると、フレームに取り付けられた際のルーバーばねの張力等によって、ルーバーばねが保持部から抜けて外れてしまうことを防ぐことができる。
【００２４】
また、ルーバーを油などに強いＰＰ樹脂製としたことにより、遠心送風羽根を取り出せるように開口を設けても、ルーバーの強度を維持することができる。
【００２５】
また、グリル部の裏面側にフィルターを着脱自在に装着したことにより、ルーバーを外すことなく、グリル部の開閉だけでフィルターの着脱、お手入れが可能で掃除性が向上する。
【００２６】
また、複数種のグリル部を備え、ルーバー枠に選択自在に取り付ける構成としたことにより、ルーバー全体を取り替えるのではなく、設置環境から求められるデザイン、換気機能等に影響の大きいグリル部のみを取り替えることで、容易かつ安価に対応できる。
【発明を実施するための最良の形態】
【００２７】
本発明の請求項１記載の天井埋込形換気扇は、ケーシング下面に遠心送風羽根の外径よりも大きい径のケーシング開口を有し、前記開口には前記ケーシングの吸込口を形成するオリフィスを、フレーム開口からフレーム内の下部空間で工具を使用することなく着脱自在に設けるとともに、ルーバーは、内側に前記遠心送風羽根が通過できる大きさのルーバー開口を有したルーバー枠と、前記ルーバー開口を開閉するグリル部とからなるものであり、羽根のお手入れの際に、オリフィスを工具を用いることなく外すことができ、そして、ルーバーのグリル部を開くことによって、ルーバーを取り外すことなく羽根を取り外すことができるという作用を有する。
【００２８】
また、本発明の請求項２に記載の天井埋込形換気扇は、グリル部は、一側端部を支軸にして上下方向に回動自在に設けられるとともに、前記一側端部に対向する一側部をルーバー枠に係脱自在に保持する構成としたものであり、グリル部がその一側端部を支軸として回動し開くため、片手で一側部の保持を係脱してルーバー開口を開閉できる。
【００２９】
また、本発明の請求項３に記載の天井埋込形換気扇は、ルーバー開口近傍に、指の押圧力でグリル部との係合・脱却を繰り返す保持部を設けたものであり、指で押すだけの小さい力でグリル部の開閉が可能となる。
【００３０】
また、本発明の請求項４に記載の天井埋込形換気扇は、グリル部の回動支軸を、前記グリル部の一側端部に設けたフック形状の係止部と、ルーバー枠に設けた係合部とを回動自在かつ着脱自在に係合して構成したものであり、グリル部を回動して開いたときに、手を離してもフック状の係止部によってグリル部は落下しない。
【００３１】
また、本発明の請求項５に記載の天井埋込形換気扇は、係止部および係合部をそれぞれ複数個設け、前記複数個の係止部あるいは係合部は、グリル部の左右方向中心線から異なる距離の位置に設けられたものであり、羽根のお手入れが終わりグリル部を取り付ける際に、グリル部を誤って裏表逆に取り付けようとしても、複数個の係止部とそれに対応する係合部の位置が合わないために取り付けることができないこととなる。
【００３２】
また、本発明の請求項６に記載の天井埋込形換気扇は、ルーバーを、樹脂製でその裏面に設けたルーバーばねによってフレームの内部に設けた取り付け部に着脱自在に取り付ける天井埋込形換気扇にあって、前記ルーバーばねは、ルーバー開口縁部に、平面視で前記ルーバー開口上に位置しないように前記ルーバー枠と一体に形成された保持部に保持され、前記保持部はルーバーばねの挿入開口を有しており、前記挿入開口を外方に開口するように形成したものであり、ルーバーばね保持部は、ルーバー開口における通風の抵抗となることがなく、かつ、オリフィスや遠心送風羽根の取り外し時、ルーバー開口を通過する際に支障とならない。
【００３３】
また、本発明の請求項７記載の天井埋込形換気扇は、ルーバーばね保持部の挿入開口を、ルーバーばねの線材径よりも狭くしたものであり、ルーバーばねは一旦挿入して装着されると、抜けにくくなる。
【００３４】
また、本発明の請求項８に記載の天井埋込形換気扇は、ルーバーをＰＰ樹脂製としたものであり、ルーバー開口を設けていても、排気する空気中に含まれる油などに対して強いＰＰ樹脂製にすることで、強度を維持できることとなる。
【００３５】
また、本発明の請求項９に記載の天井埋込形換気扇は、グリル部の裏面側にフィルターを着脱自在に装着したものであり、フィルターを清掃する際に、グリル部を開くことで、ルーバーの着脱なしでフィルターの着脱ができる。
【００３６】
また、本発明の請求項１０に記載の天井埋込形換気扇は、複数種のグリル部を備え、ルーバー枠に選択自在に取り付けるものであり、複数のデザイン・機能の異なるグリル部から選択して、ルーバー枠に取り付けることができることとなる。
【００３７】
以下、本発明の実施の形態について、図１〜図１１を参照しながら説明する。
【００３８】
（実施の形態１）
図１〜図３に示すように、天井裏に取り付けられ、側面に屋外と連通するダクト１と接続するアダプター２を備え、下面に室内側に臨み吸込口となるフレーム開口３を有した箱状のフレーム４と、フレーム４の内部に、下面にケーシング開口５を有し側部にアダプター２と連通する吐出口６を有したスクロール状のケーシング７と、ケーシング７の内部に配設され、室内の空気をダクト１を介して屋外へ排出するための送風を行う遠心送風羽根８と、遠心送風羽根８をその回転軸９ａに着脱自在に固着して回転駆動する電動機９とを備えている。そして、ケーシング開口５は、遠心送風羽根８の外径よりも大きい径で開口し、このケーシング開口５に下方から遠心送風羽根８の外径よりも小さい径の吸込口１０を形成したオリフィス１１を設け、さらに、フレーム開口３を室内側から覆うルーバー１２を備えている。
【００３９】
ルーバー１２は、内側に遠心送風羽根８が通過できる大きさのルーバー開口１３を有したルーバー枠１４と、後述するルーバー開口１３を開閉するグリル部１５とからなる。
【００４０】
図４および図５に示すように、グリル部１５は、一側端部をルーバー枠１４のルーバー開口１３の縁部に回動支軸１６によって回動自在に支持されるとともに、対向する一側部を保持部１７によって保持されている。また、ルーバー１２は、ＰＰ樹脂製で、その裏面に設けたルーバーばね保持部１８に保持されたルーバーばね１９によってフレーム４内部の取り付け部２０（図２）に着脱自在に設けられる。
【００４１】
そして、図６を参照して、保持部１７について詳述すると、保持部１７は、ルーバー枠１４のルーバー開口１３の縁部近傍に設けられた押圧部２１、引掛け部２２およびたわみ部２３と、グリル部１５に設けられた支持孔２４とから構成され、保持している状態から押圧部２１を指で押すことで、図７に示すように、たわみ部２３が弾性変形することで、引掛け部２２が支持孔２４から脱却して保持が解除され、また、グリル部１５を装着する場合は、グリル部１５の一側部を指で押すことで、たわみ部２３が弾性変形し、変形から復帰しようとする力によって、引掛け部２２が支持孔２４に引っ掛かって保持され、このようにして、グリル部１５によってルーバー開口１３を容易に開閉することができる。
【００４２】
また、図８および図９を参照して、回動支軸１６について詳述すると、回動支軸１６は、ルーバー枠１４のルーバー開口１３近傍に設けられた係合部２５と、係合部２５に対応するグリル部１５の一側端部の位置に設けられ、係合部２５に係脱自在に係止するフック形状の係止部２６とからなり、係合部２５と係止部２６は、それぞれ複数個設けられ、複数個の係合部２５あるいは係止部２６は、グリル部１５およびルーバー枠１４の左右方向中心線Ｃから異なる距離の位置に配設されている。
【００４３】
また、図１０に示すように、ルーバー枠１４のルーバーばね保持部１８は、平面視でルーバー開口１３上に位置しないように、ルーバー開口１３の縁部に、ルーバー枠１４と一体に形成され、ルーバー開口１３の縁部からルーバー枠１４側に水平に突出した水平部２７と、水平部２７先端から垂直に形成された垂直部２８とからなり、垂直部２８の下端部とルーバー枠１４の裏面との間に開口したルーバーばね１９の挿入開口２９を形成している。挿入開口２９は、ルーバーばね１９の線径より狭く形成され、ルーバーばね１９を挿入開口２９から挿入するときは、水平部２７と垂直部２８を弾性変形させて挿入し、挿入されたルーバーばね１９は外れにくくなる。
【００４４】
また、図示していないが、グリル部１５の裏面側に、排気中の塵埃等を捕集するフィルターを着脱自在に装着している。
【００４５】
そして、グリル部１５について、格子状のものを図示してきたが、本実施の形態１の天井埋込形換気扇では、図１１に示す一方向の桟を有したグリル部１５Ａも備えている。なお、この２種類だけでなく、たとえばグリル部の外周部に通風口を形成するもの等を備えることもできる。
【００４６】
すなわち、ルーバー１２全体を取り替えることなく、グリル部１５だけを取り替えることで、天井埋込形換気扇の設置環境から求められるデザイン・換気機能等に、容易かつ安価に対応できる。
【００４７】
上記構成において、長時間の運転により天井埋込形換気扇の内部に室内の埃等が付着してきて掃除するときには、グリル部１５を保持部１７から保持を外して回動すると、裏面に装着したフィルターが現れるので、まず、ルーバー１２全体を取り外すことなくフィルターのみを外して清掃することができ、次に、フィルターを通過した埃等が付着した遠心送風羽根８の掃除に対して、天井裏という高い位置に設けられた暗く狭いフレーム４の空間内で、オリフィス１１をケーシング７から工具を使用せずに取り外しでき、オリフィス１１を取り外すことによって、ケーシング７の下面に遠心送風羽根８を取り出すことが可能なケーシング開口５を形成できる。そして、ルーバー１２のルーバー開口１３は、グリル部１５を回動して開放されているので、ルーバー１２を取り外すことなくルーバー開口１３から遠心送風羽根８を室内側へ取り出すことができる。
【００４８】
このように、工具を使用せずにオリフィス１１を取り外して形成されるケーシング開口５と、小さな指の押圧力でグリル部１５の保持を外すことにより形成されるルーバー開口１３とから、遠心送風羽根８を室内側に取り出して掃除をすることができ、掃除性の向上した天井埋込形換気扇を提供することができることとなる。
【００４９】
そして、グリル部１５もルーバー枠１４の係合部２５から外して掃除し、その後、ルーバー枠１４に係合する際に、誤って裏表逆に取り付けようとしても、係合部２５と係止部２６が左右方向にずれた位置となって、取り付け固定できないこととなり、グリル部１５の裏表逆取り付けを防止できる。
【００５０】
また、ルーバーばね保持部１８が、平面視でルーバー開口１３上に位置しない、すなわち、ルーバー開口１３よりも外側に配置されているため、排気する空気の流路を妨げてしまうことがなく、それによる風量低下や騒音増加がなく、かつ、内部のオリフィス１１や遠心送風羽根８をルーバー開口１３から取り出す際の作業の邪魔にもならない。
【００５１】
また、ルーバーばね保持部１８は、挿入開口２９がルーバーばね１９の線材径よりも狭いため、ルーバーばね１９は一旦装着されれば、ルーバー１２を取り付ける際のルーバーばね１９の張力等によってルーバーばね保持部１８から抜けてしまうことがなく、さらに、挿入開口２９がルーバー開口１３の外方に向けて開口されているため、ルーバーばね１９の張力によるルーバー開口１３縁部の変形は微小なものとなる。
【００５２】
また、ルーバー開口１３を設けていても、ルーバー１２を空気中に含まれる油などに対して強いＰＰ樹脂製にすることで、ルーバー１２の強度を維持することができる。
【産業上の利用可能性】
【００５３】
本発明は、遠心送風羽根の掃除を行うときの部品の分解性、組立性、作業性が良く、遠心送風羽根の掃除を要する換気装置や遠心送風機、空気調和機に有用である。
【図面の簡単な説明】
【００５４】
【図１】本発明の実施の形態１の天井埋込形換気扇を示す断面図
【図２】同天井埋込形換気扇の遠心送風羽根、オリフィス、ルーバーの着脱状態を示す斜視図
【図３】同天井埋込形換気扇におけるルーバーのグリル部の開閉状態を示す斜視図
【図４】ルーバーを示す斜視図
【図５】ルーバーのグリル部開放時の斜視図
【図６】同ルーバーのルーバー枠とグリル部の保持部を示す断面図
【図７】同ルーバーの保持部におけるグリル部保持解除状態を示す断面図
【図８】同ルーバーのグリル部の回動支軸を示す断面図
【図９】同ルーバーのグリル部取り外し時の平面図
【図１０】ルーバーのルーバーばね保持部を示す断面図
【図１１】同天井埋込形換気扇の異なるグリル部の装着状態を示す斜視図
【図１２】従来の天井埋込形換気扇を示す断面図
【符号の説明】
【００５５】
３      フレーム開口
４      フレーム
５      ケーシング開口
６      吐出口
７      ケーシング
８      遠心送風羽根
９      電動機
９ａ    回転軸
１０    吸込口
１１    オリフィス
１２    ルーバー
１３    ルーバー開口
１４    ルーバー枠
１５    グリル部
１５Ａ  グリル部
１６    回動支軸
１７    保持部
１８    ルーバーばね保持部
１９    ルーバーばね
２０    取り付け部
２５    係合部
２６    係止部
２９    挿入開口
Ｃ      左右方向中心線
【図１】
2010196970.tif 000003
【図２】
2010196970.tif 000004
【図３】
2010196970.tif 000005
【図４】
2010196970.tif 000006
【図５】
2010196970.tif 000007
【図６】
2010196970.tif 000008
【図７】
2010196970.tif 000009
【図８】
2010196970.tif 000010
【図９】
2010196970.tif 000011
【図１０】
2010196970.tif 000012
【図１１】
2010196970.tif 000013
【図１２】
2010196970.tif 000014